(57)【特許請求の範囲】
【請求項１】
中空状の本体の握り部の前部に出没するように支持されたレバーと、該レバーで駆動される中継レバーと、前記本体の前後方向に移動するように案内され、前記中継レバーが係合したピストンと、該ピストンの前方に延長され、結合部を押出すためのロッドと、該ロッドの軸線上の前記本体に植立された中空針と、前記ピストンの揺動運動及びスプリングの弾性力によって揺動乃至回動されるギア送りレバーと、前記本体の前端部に配置された結合部送りギアと頭部送りギアと、該両ギアにそれぞれ併設されたラチエットホイールと、前記ギア送りレバーの先端部に設けられた爪支持部に組込まれ、前記ラチエットホイールにぞれぞれ噛合する送り爪と、前記結合部送りギアと頭部送りギアの周面の、結合部と頭部との供給位置にそれぞれ連絡するように形成された頭部用溝と結合部用溝と、前記ピストンによって駆動され、平行リンク機構を含む揺動リンク機構を介して支持された頭部搬送腕とからなり、
該頭部搬送腕は、頭部送りギアのフイラメント状連結体の供給位置において最先端の頭部の一個を把持し、該頭部搬送腕を支持するリンク機構を介して所定の経路を移動して前記中空針の吐出口の直前で待機し、一方、結合部送りギアのフイラメント状連結体の供給位置において最先端の結合部の一個を、前記ピストンの先端に突出されたロッドによって、前記頭部搬送腕に把持されている頭部の係止孔内に挿入されて係止されるように構成したフイラメント状連結体の取付装置。
【請求項２】
取付装置の本体の握り部の前部に弾性力で突出するように設けたレバーの握り操作によりフイラメント状連結体の頭部と結合部を間歇的に送り出して連結するようになっており、
前記レバーの握り操作でピストンの前進に連動してギア送りレバーを揺動させ、このギア送りレバーの揺動の際にこのギア送りレバーに連繋された前記スプリングに弾性力を蓄え、前記レバーの開放操作で前記ギア送りレバーを前記スプリングの弾性力を利用して回動させるように構成されており、
前記ギア送りレバーは揺動運動の前段階で前記スプリングに弾性力を蓄え、後段階でこのスプリングに弾性力を保持した状態で前記頭部と結合部と連結を行ない、前記連結後の前記レバーの開放操作に伴って前記スプリングより弾性力を放出させてフイラメント状連結体を移送するように構成されている請求項１記載のフイラメント状連結体の取付装置。
【請求項３】
前記ギア送りレバーは、前記レバーの握り操作の前段階で前記ピストンの前進に連動してこのギア送りレバーを傾斜させて前記スプリングに弾性力を蓄えるためのガイド面と、後段階で前記ピストンの前進中にこのギア送りレバーの姿勢を保持する前記ガイド面に対してへ字型に連続するガイド面と、前記ガイド面とＶ形に拡開し、先端が前記ガイド面に連続するようにガイド体を揺動自在に設けており、
前記ガイド面上を、ピストンと共に移動する作動部が移動する間に前記スプリングに弾性力を蓄え、前記ガイド面を作動部が移動する間に連結体の連結を行ない、更に前記ガイド体のガイド面を作業部が移動する間は前記ギア送りレバーの姿勢を保持し、前記ガイド体の端部より作動部が外れた際に、前記スプリングの弾性力によって前記ギア送りレバーを揺動させてフイラメント状連結体を次の打ち出し位置に移動するように構成した請求項１記載のフイラメント状連結体の取付装置。
【請求項４】
本体の前部に結合部送りギアと頭部送り技ギアを設け、更に該両ギアの周囲の半分に前記可撓部材が係合され、そして排出される経路を前記本体に形成してなる請求項１記載のフイラメント状連結体の取付装置。
【請求項５】
ギア送りレバーの先端部に二股状に分岐されて爪支持部がそれぞれ形成され、該爪支持部に、前記結合部送りギアと頭部送りギアとに併設されたラチエットホイールにそれぞれ噛合し、弾性力で前方に突出するように支持された送り爪を設けた請求項１記載のフイラメント状連結体の取付装置。
【請求項６】
本体を構成する右本体と左本体との間に第１基板と第２基板とを平行に配設し、前記第１基板の片面の前部に、結合部送りギアと頭部送りギアを配置すると共に、これらのギアの送り面に連絡するように結合部用溝と頭部用溝が本体の長手方向に設けられ、
更に前記結合部送りギアの直径方向に横切って運動するようにピストンにロッドを設けると共に、該ロッドの前方の軸線方向に中空針を配置し、前記第２基板の片面に前記ピストンを案内するガイド溝と、該ピストンによって駆動される第１リンク、第２リンク、第３リンク及び第４リンクを有し、
前記第３リンクと第４リンクの上端に枢支された頭部搬送腕で平行リンク機構を形成し、
ギア送りレバーと該ギア送りレバーによって駆動されるラチエットホイールの軸に固定された結合部送りギアと頭部送りギアからなる請求項１記載のフイラメント状連結体の取付装置。
【請求項７】
前記平行リンク機構を構成している部材が最も前方に傾斜位置において、その位置を保持する停止機構を設けてなる請求項６記載のフイラメント状連結体の取付装置。
【請求項８】
前記停止機構は、第４リンクの少なくとも一本の端部と頭部送りギアの軸との接触によって作動するように構成されている請求項７記載のフイラメント状連結体の取付装置。
【請求項９】
前記頭部搬送腕と本体との間に、該頭部搬送腕が復帰した位置で振動を防止する停止部材を設けてなる請求項６記載のフイラメント状連結体の取付装置。
【請求項１０】
前記停止部材は、前記頭部搬送腕と本体との間を磁力で吸着固定する部材である請求項９に記載のフイラメント状連結体の取付装置。
【請求項１１】
前記ラチエットホイールの中間位置に、該ラチエットホイールを駆動する手動送りローラを配置してなる請求項１記載のフイラメント状連結体の取付装置。
【請求項１２】
前記ラチエットホイールの側部に配置されたストッパーと、該ストッパーと結合部送りギアと頭部送りギアとの噛合を解除するためのストッパ解除体とを設けてなる請求項６記載のフイラメント状連結体の取付装置。
【請求項１３】
前記フイラメント状連結体の集合体は、フイラメント部と、該フイラメント部の一方に配置され中央部に係止孔を貫通した頭部と、他方に配置された結合部とからなるフイラメント状連結体の集合体であって、前記頭部と結合部を、断面が縮小された連結部を介して二本の可撓部材の間に配置して合成樹脂の一体成形によって集合体を形成しており、
前記頭部は、該集合体の配置面に対して直交する貫通する係止孔を有し、更に前記結合部は、該集合体の配置面に対して直交する方向に形成されている請求項１乃至１２記載のフイラメント状連結体の取付装置。
【請求項１４】
前記頭部に貫通した係止孔の出口部の両側に対面して係止爪を設けてなる請求項１３記載のフイラメント状連結体の取付装置。
【発明の詳細な説明】
技術分野
本発明はフイラメントと一端に係止孔を有する頭部を、他端にこの頭部の係止孔に嵌入固定される結合部からなる合成樹脂製のフイラメント状連結体を使用し、前記頭部の係止孔内に結合部を嵌入固定させてフイラメント部を輪状に連結して値札等の表示札を取付けたり、２つ以上の物品をまとめたり、更に連結体どうしを連結するための取付方法と取付装置およびフイラメント状連結体に関する。
背景技術
合成樹脂製のフイラメント状連結体は、例えば特公昭５７−８４７３号公報で本出願人が提案しているように、フイラメント部の一端に環状の頭部（メス部）を、他端に前記頭部に挿入する結合部（オス部）を設けたものをナイロンやポリプロピレン等の工業用合成樹脂によって一体成形し、前記フイラメント部を延伸して強度を高めると共に断面を細くしてしなやかにしたものであり、この発明に係る製品は日本及び世界において商品名「ロックス」として広く販売され、値札の取付け等の各種の用途に使用されている。
頭部は環状あるいは筒状であって中央部に係止孔を貫通し、この係止孔の中間部に直径方向に向かう係合段部を環状に形成している。一方、結合部は前記係合段部を通過する寸法の首部と、この首部の両側に羽根状に突出した係止突片を有し、この係止突片を前記係合段部に支持させた状態で係合させるようにしたものである。
このフイラメント状連結体はフイラメント部を商品の一部に回して輪状に形成した状態で、頭部のいずれかの側より結合部を挿入して嵌合させることができるもので、ワンタッチ操作で頭部と結合部とを連結してフイラメント部を輪状に形成することができることから、値札等の各種の表示札（タグ）をハンドバッグや鞄やサンダル等の履物のように紐状部分やボタン孔のような孔を持つ商品に取付けたり、連結体どうしを鎖状に連結したもので展示する商品を展示棚に連結する際に有効に利用することができる。
ところで、このフイラメント状連結体を使用する際には、１本の連結体の結合部を表示札の孔に通した状態で、例えばハンドバッグ等の把持部を周回させ、結合部を頭部の孔に嵌入して連結する操作が必要である。しかし、この連結操作は片手に商品と頭部とを持ち、他方の手で結合部を操作しなければならないことから両手の操作が必要であり、その操作が煩雑で非能率であるのでこの操作ができる取付装置がいろいろと検討されてきた。
取付装置としては、例えば特公昭６３−３５４８９号公報や特公平３−１４７０４号公報等が提案されているが、特公昭６３−３５４８９号公報に記載された装置は、握り部と握り杆の中央部を枢着して全体としてペンチのような構造を有している。そして握り部の延長部である係止部誘導腕と握り杆の延長部である可動腕との間に商品を把持するような状態として頭部と連結部とを連結するものである。
しかし、この装置は握り部と握り杆との間に商品の一部を挟持するような状態となり、商品を押圧して損傷を与えることがある上に、係止部誘導腕と可動腕との間にフイラメント部がＵ形に配置されることになるために、商品の表示札を取付ける部分を挿入するための空間部、即ち取付作業をするための「空間部分」がない。また、取付装置の上部にＵ形に曲げられたフイラメント部がこの装置を操作する際に商品に接触することになるために作業が極めて煩雑となると言う問題点を有している。
一方、特公平３−１４７０４号公報に記載されたものは本体の前方に設けた上嘴に対してレバー操作で下嘴を接近・離反するように設け、両嘴に案内溝をそれぞれ形成し、１個のプーリーの正転と逆転操作でこのプーリーに接続されているベルト状物を、上嘴と下嘴の案内溝内に交互に進入させることによって上嘴側にフイラメント状連結体の頭部を下嘴側に結合部をそれぞれ送込み、次いで上嘴に下嘴を接近させて頭部と結合部を連結するようにしたものである。
しかし、この装置は１個のプーリーを使用して上下の嘴内にフイラメント状連結体の頭部と結合部を交互に案内するものであるから、可撓体の先端部で頭部あるいは結合部を正確でしかも迅速に把持することが必要である上に、下嘴の上嘴に対する開閉動作が加わり、極めて煩雑な動きを必要とするために頭部あるいは結合部の受取り動作の失敗や連結動作の失敗等があり、更に機構上耐久性に問題があった。
また、特開平８−３１０５２０号公報によって同様な装置が提案されているが、この装置は本体の前方にＬ形に曲げた頭部を案内する受け部ガイドと、挿入部ガイドを設け、前記受け部ガイド内にベルトで頭部を挿入し、ピストンの先端に設けたパイプによって挿入部を支持し、このパイプと共に挿入部を前記挿入部ガイド内に押込むように構成したものである。
しかし、この装置は受け部ガイドが本体の前部に常時突出していることから連結操作の邪魔になりやすく、また、受け部ガイド内に頭部をベルトで押込むことから押込み操作が不安定である。更に本体の前部の両側に縦方向に設けたガイド孔内にフイラメント状連結体の両側に配置されている連結帯を挿入して下側のものから打出すようにしているのでフイラメント部が本体の上面にのしかかり、そしてフイラメントどうしがもつれ易く、従ってトラブルが発生し易いという問題がある。
前記のように、従来の取付装置には各種の問題があり、何れのものも販売に至るだけの製品になっていない。
このフイラメント状連結体の取付装置を開発する際の第１の要求点は、装置にフイラメント状連結体の集合体を簡単に装填することができ、そして前記集合体より個々のフイラメント状連結体を分離して連結操作する部分に迅速に供給できることが必要である。
第２の要求点は、商品等の被取付部の周囲にフイラメント状連結体を周回させるために、被取付部を収容できる空間（フトコロ部ないし被取付物の収容距離）が十分に形成できること、更にフイラメント部どうしが互いにもつれないことである。
第３の要求点は、本体の前部にフイラメント状連結体の集合体を確実に移送して素早く打出し姿勢となることである。
本発明に係るフイラメント状連結体の連結方法とその装置及びフイラメント状連結体の集合体は、前記公知技術の各種の問題点を解決できる装置を提供することを目的とするものである。
発明の開示
１）前記目的を達成するための本発明に係るフイラメント状連結体の連結方法は、フイラメント部ｆの一方に、係止孔ｂを貫通した頭部ｈを、他方に前記係止孔ｂの内に嵌入して弾性的に係合する結合部ｋを形成したフイラメント状連結体Ｌを、断面が縮小された連結部ｃを介して二本の可撓部材Ｊ，Ｊの間に多数本が平行して連結されたフイラメント状連結体の集合体を取付装置に装填して前記頭部ｈの係止孔ｂ内に結合部ｋを嵌入して連結する方法であって、
前記取付装置１の本体２の後方から前方にかけて配置された頭部用溝６ｂと結合部用溝６ａ内に、それぞれ前記フイラメント状連結体Ｌの集合体の可撓部材Ｊ，Ｊ上に配列されている頭部ｈと結合部ｋを装填し、前記フイラメント部ｆを該本体２の側方にＵ字形に曲げて突出させた状態で支持し、この集合体をこの本体２の後方から前方に供給する工程と、
この本体２の前部に突出している中空針５の軸線より被取付物の収容距離をもって離間されたこの本体２の前部において、この頭部ｈを頭部搬送腕４の頭部支持部４ｄに受取る工程と、
この頭部搬送腕４を前進させながら所定の経路に従って前記中空針５より離間された位置からこの中空針５の軸線に接近させてその先端部に前記頭部ｈを待機させる工程と、
前記中空針５の入口部において、ピストン９に設けたロッド１０によって前記結合部ｋをこの中空針５の中に押込んで吐出口より送出するとともに、この吐出口の直前で待機している頭部ｈの係止孔ｂ内に嵌入してフイラメント部ｆを輪状に連結する工程で構成されている。
２）前記１）のフイラメント状連結体の連結方法において、多数のフイラメント状連結体Ｌを平行に配置し、この連結体Ｌの両側に配置された２本の可撓部材Ｊ，Ｊを、取付装置１の後部から供給して前部に配置された結合部送りギヤ１４ａと頭部送りギヤ１４ｂを周回させ、後部に移動する横向きの経路を搬送する行程において、
前記２つのギヤ１４ａ，１４ｂの周面を可撓部材Ｊ，Ｊが周回する位置で、頭部ｈの一個を頭部搬送腕４によって把持させ、結合部ｋの一個をピストン９の先端に設けたロッド１０で押圧して前記取付装置１の前部に設けられている中空針５中に押込んで、この中空針５の吐出口の直前で待機している頭部ｈの係止孔ｂ内に嵌入してフイラメント部ｆを輪状に連結するように構成している。
３）本発明に係るフイラメント状連結体の取付装置は、中空状の本体２の握り部２ｃの前部に出没するように支持されたレバー３と、このレバー３で駆動される中継レバー３Ａと、前記本体２の前後方向に移動するように案内され、前記中継レバー３が係合したピストン９と、このピストン９の前方に延長され、結合部ｋを押出すためのロッド１０と、このロッド１０の軸線上の前記本体２に植立された中空針５と、前記ピストン９の往復運動によって揺動されるギヤ送りレバー１２と、前記本体２の前端部に配置された結合部送りギヤ１４ａと頭部送りギヤ１４ｂと、この両ギヤ１４ａ，１４ｂにそれぞれ併設されたラチエットホイール１５ａ，１５ｂと、前記ギヤ送りレバー１２の先端部に設けられた爪支持部１２ｄ，１２ｅに組込まれ、前記ラチエットホイール１５ａ，１５ｂにそれぞれ噛合する送り爪１２ｆ，１２ｇと、前記結合部送りギヤ１４ａと頭部送りギヤ１４ｂの周面の、結合部ｋと頭部ｈとの供給位置にそれぞれ連絡するように形成された頭部用溝６ｂと結合部用溝６ａと、前記ピストン９によって駆動され、平行リンク機構を含む揺動リンク機構を介して支持された頭部搬送腕４からなり、
前記頭部搬送腕４は、頭部送りギヤ１４ｂのフイラメント状連結体Ｌの供給位置において最先端の頭部ｈの一個を把持し、この頭部搬送腕４を支持するリンク機構を介して所定の経路を移動して前記中空針５の吐出口の直前で待機し、一方、結合部送りギヤ１４ａのフイラメント状連結体Ｌの供給位置において最先端の結合部ｋの一個を前記ピストン９の先端に突出されたロッド１０によって、前記頭部搬送腕４に把持されている頭部ｈの係止孔ｂ内に挿入されて係止されるように構成されている。
４）前記３）のフイラメント状連結体の取付装置は、取付装置１の本体２の握り部２ｃの前部に弾性力で突出するように設けたレバー３の握り操作によりフイラメント状連結体Ｌの頭部ｈと結合部ｋの間歇的な送り出して連結するようになっており、
前記レバー３の握り操作でピストン９の前進に連動してギヤ送りレバー１２を揺動させ、このギヤ送りレバー１２の揺動の際にこのギヤ送りレバー１２に連繋されたスプリング１２ｈに弾性力を蓄え、前記レバー３の開放操作で前記ギヤ１４ａ，１４ｂを前記スプリング１２ｈの弾性力を利用して回動させるように構成されており、
前記ギヤ送りレバー１２は揺動運動の前段階で前記スプリング１２ｈに弾性力を蓄え、後段階でこのスプリング１２ｈに弾性力を保持した状態で前記頭部ｈと結合部ｋとの連結を行ない、前記連結後の前記レバー３の開放操作に伴って前記スプリング１２ｈより弾性力を放出させてフイラメント状連結体Ｌを移送するように構成されている。
５．前記３）のフイラメント状連結体の取付装置は、ギヤ送りレバー１２は、前記レバー３の握り操作の前段階で前記ピストン９の前進に連動してこのレバー１２を傾斜させて前記スプリング１２ｈに弾性力を蓄えるためのガイド面１２Ｅと、後段階で前記ピストン９の前進中にこのレバー１２の姿勢を保持する前記ガイド面１２Ｅに対してへ字形に連続するガイド面１２Ｋと、前記ガイド面１２ＥとＶ形に拡開し、先端が前記ガイド面１２Ｋに連続するようにガイド体１２Ｌを揺動自在に設けており、
前記ガイド面１２Ｅ上を、ピストン９と共に移動する作動部１１が移動する間に前記スプリング１２ｈに弾性力を蓄え、前記ガイド面１２Ｋを作動部１１が移動する間に連結体Ｌの連結を行い、更に前記ガイド体１２Ｌのガイド面を作動部１１が移動する間は前記レバー１２の姿勢を保持し、前記ガイド体１２Ｌの端部より作動部１１が外れた際に、前記スプリング１２ｈの弾性力によって前記ギヤ送りレバー１２を揺動させてフイラメント状連結体Ｌを次の打ち出し位置に移動させるように構成されている。
６）前記３）のフイラメント状連結体の取付装置は、本体２の前部に結合部送りギヤ１４ａと頭部送りギヤ１４ｂを設け、更に該両ギヤ１４ａ、１４ｂの周囲の半分に前記可撓部材Ｊ，Ｊが係合され、そして排出される経路を前記本体２に形成されている。
７）前記３）のフイラメント状連結体の取付装置は、ギヤ送りレバー１２の先端部に二股状に分岐されて爪支持部１２ｄ，１２ｅがそれぞれ形成され、この爪支持部１２ｄ，１２ｅに、前記結合部送りギヤ１４ａと頭部送りギヤ１４ｂとに併設されたラチエットホイール１５ａ，１５ｂにそれぞれ噛合し、弾性力で前方に突出するように支持された送り爪１２ｆ，１２ｇを設けて構成されている。
８）前記３）のフイラメント状連結体の取付装置は、本体２を構成する右本体２ａと左本体２ｂとの間に第１基板２０と第２基板２２とを平行に配設し、前記第１基板２０の片面の前部に、結合部送りギヤ１４ａと頭部送りギヤ１４ｂを配置すると共に、これらのギヤ１４ａ，１４ｂの送り面に連絡するように結合部用溝６ａと頭部用溝６ｂが本体２の長手方向に設けられ、更に前記結合部送りギヤ１４ａの直径方向に横切って運動するようにピストン９にロッド１０を設けると共に、このロッド１０の前方の軸線方向に中空針５を配置し、前記第２基板２２の片面に前記ピストン９を案内するガイド溝９Ａと、該ピストン９によって駆動される第１リンク１７、第２リンク１８、第３リンク４ｂ、及び第４リンク４ａ，４ａ’を有し、前記第３リンク４ｂと第４リンク４ａ，４ａ’の上端に枢支された頭部搬送腕４で平行リンク機構を形成し、更にギヤ送りレバー１２と、このギヤ送りレバー１２によって駆動されるラチエットホイール１５ａ，１５ｂと、このラチエットホイール１５ａ，１５ｂの軸に固定された前記結合部送りギヤ１４ａと頭部送りギヤ１４ｂとを有して構成されている。
９）前記８）記載のフイラメント状連結体の取付装置における平行リンク機構を構成している部材が最も前方に傾斜位置において、その位置を保持する停止機構を設けて構成されている。
１０）前記８）記載のフイラメント状連結体の取付装置における前記停止機構は、第４リンク４ａ，４ａ’の少なくとも一本の端部と頭部送りギヤ１４ｂの軸１４ｈとの接触で作動するように構成されている。
１１）前記８）記載のフイラメント状連結体の取付装置の前記頭部搬送腕４と本体２との間に、この頭部搬送腕４が復帰した位置において、振動を防止する停止部材を設けて構成されている。
１２）前記８）記載のフイラメント状連結体の取付装置における前記停止部材は、前記頭部搬送腕４と本体２との間を磁力で吸着固定する部材で構成されている。
１３）前記３）記載のフイラメント状連結体の取付装置における前記ラチエットホイール１５ａ，１５ｂの中間位置に、このラチエットホイール１５ａ，１５ｂを駆動する手動送りローラ１９を配置して構成されている。
１４）前記８）記載のフイラメント状連結体の取付装置における前記ラチエットホイール１５ａ，１５ｂの側部に配置されたストッパー２４，２４Ａと、該ストッパー２４，２４Ａと結合部送りギヤ１４ａと頭部送りギヤ１４ｂとの噛合を解除するためのストッパ解除体８Ａとを設けて構成されている。
１５）本発明に適用するフイラメント状連結体の集合体は、フイラメント部ｆの一方に配置され、中央部に係止孔ｂを貫通した頭部ｈと、他方に配置された結合部ｋからなるフイラメント状連結体Ｌの前記頭部ｈと結合部ｋを、断面が縮小された連結部ｃを介して二本の可撓部材Ｊ，Ｊの間に配置して合成樹脂の一体成形によって集合体を形成しており、前記頭部ｈは、該集合体の配置面に対して直交する貫通する係止孔ｂを有し、更に前記結合部ｋは、該集合体の配置面に直交する方向に形成されている。
１６）前記１５）記載のフイラメント状連結体の集合体は、前記頭部ｈに貫通した係止孔ｂの出口部の両側に対面して係止爪ｔを設けて構成されている。
【図面の簡単な説明】
第１図は、フイラメント状連結体の取付装置の正面図である。
第２図は、フイラメント状連結体の取付装置の背面図である。
第３図は、フイラメント状連結体の取付装置の平面図である。
第４図は、フイラメント状連結体の取付装置の右側面図である。
第５図は、フイラメント状連結体の取付装置の左側面図である。
第６図は、右本体の内部構造を示す斜視図である。
第７図は、フイラメント状連結体を連結する前の取付装置の内部の状態を示す斜視図である。
第８図は、フイラメント状連結体の連結直後の取付装置の内部機構を示す斜視図である。
第９図は、取付装置の層状に形成した内部機構を分解して示す斜視図である。
第１０図は、ピストンと頭部送りギヤと結合部送りギヤに関連する部材の斜視図である。
第１１図は、レバーより頭部搬送腕に至るリンク機構を分解して示す斜視図である。
第１２図は、ギヤ送りレバーとこれに関連する部材を分解して示す斜視図である。
第１３図は、ギヤ送りレバーとラチエットホイールとの関係を示す図である。
第１４図は、ラチエットホイールとストッパーとの関係を示す図である。
第１５図は、ピストンと第１リンクとの運動関係を示す説明図である。
第１６図は、ピストンと第１リンクとの運動関係を示す説明図である。
第１７図は、ピストンと第１リンクとの運動関係を示す説明図である。
第１８図は、ピストンと第１リンクとの運動関係を示す説明図である。
第１９図は、ピストンと第１リンクとの運動関係を示す説明図である。
第２０図は、ピストンと第１リンクとの運動関係を示す説明図である。
第２１図は、頭部搬送腕とこれを駆動するリンク機構を示す説明図である。
第２２図は、頭部搬送腕とこれを駆動するリンク機構の運動状態を示す説明図である。
第２３図は、頭部搬送腕とこれを駆動するリンク機構の運動状態を示す説明図である。
第２４図は、頭部搬送腕とこれを駆動するリンク機構の運動状態を示す説明図である。
第２５図は、頭部搬送腕とこれを駆動するリンク機構の運動状態を示す説明図である。
第２６図は、フイラメント状連結体を結合部送りギヤと頭部送りギヤとによって移送する状態を示す斜視図である。
第２７図は、フイラメント状連結体集合体の正面図である。
第２８図は、フイラメント状連結体集合体の側断面図である。
第２９図は、ギヤ送りレバーの作用を説明する側面図であって、（ａ）はギヤ送りレバーの基本位置を、（ｂ）は前記レバーを傾斜させる直前の状態を、そして（ｃ）は前記レバーを傾斜させてスプリングを引き伸ばしている状態をそれぞれ示している。
第３０図は、ギヤ送りレバーの作用を説明する側面図であって、（ａ）はレバーの最大傾斜の直前の位置を、（ｂ）はレバーの最大傾斜の位置を、そして（ｃ）は連結体の連結操作の初動位置をそれぞれ示している。
第３１図は、ギヤ送りレバーの作用を説明する側面図であって、（ａ）は連結操作の最終位置を、（ｂ）及び（ｃ）はギヤ送りレバーを基準位置に保持した状態でガイド面を作動部が移動する状態をそれぞれ示している。
第３２図は、ギヤ送りレバーの作用を説明する側面図であって、（ａ）は作動部がガイド面の終端に移動した状態を、（ｂ）は作動部がガイド面から外れる状態を、そして（ｃ）はギヤ送りレバーが元の位置に復帰すると共に連結体を次の打ち込み位置に送った状態をそれぞれ示している。
第３３図（ａ）は頭部支持部の要部を示す側面図、（ｂ）は頭部支持部の主要部材の分解図である。
第３４図（ａ），（ｂ）及び（ｃ）は、頭部支持部が頭部ｈを保持する状態を示す要部の側断面図であり、更に（ｄ）は頭部支持部の停止機構の例を示す側面図である。
第３５図（ａ），（ｂ）及び（ｃ）は頭部ｈと結合部ｋとを連結する状態を示す側断面図である。
第３６図は、頭部支持部の他の構造を示す斜視図である。
第３７図は頭部支持部の更に他の構造を示す斜視図である。
発明を実施するための最良の形態
〔全体構成〕
フイラメント状連結体の取付装置１の外観は、第１図ないし５図に示す通りである。
この取付装置１は、第２７図及び第２８図に示したような両側に平行に配置された２本の可撓部材Ｊ，Ｊ（成形時のランナーバーと、まとめ部材として機能している部分）の間に、この可撓部材Ｊ，Ｊに直交し、所定の間隔で平行にフイラメント状連結体Ｌを個々に断面が縮小された連結部ｃ（成形時のゲートとして機能する部分）を介して分離可能に配置した集合体として一体成形によってシート状のものを装填して使用するものである。
このフイラメント状連結体Ｌは、フイラメント部ｆの一端にやゝ偏平な筒状の頭部（メス部）ｈを、他端にこの頭部ｈの係止孔ｂ内に嵌入される結合部ｋ（オス部）をそれぞれ形成したもので、この係止孔ｂ内には弾性的に可動する２本の係合爪ｔを対向して形成しており、第２８図に矢印で示す方向から係止孔ｂ内に結合部ｋを嵌入することによって前記係合爪ｔを結合部ｋの先端の近傍に形成したキノコ状の首部ａに弾性的に係合把持させてフイラメント部ｆを輪状に連結するものである。
特に、このフイラメント状連結体Ｌに形成した結合部ｋと頭部ｈとは、本発明の取付装置による連結操作を容易にするためにフイラメント部ｆに対して直交して形成されている。そしてハンドバッグ等の鞄類やサンダル等の履物のように紐状ないし帯状で、フイラメント部ｆを巻きかけ易い大きさの部分を持った商品やボタン孔のような孔を持った商品にラベル等の表示札を取付ける際に使用するものである。
この取付装置１の外観は、合成樹脂成形品である右本体２ａと左本体２ｂを重ねて全体として略ピストン形の本体２を形成し、その握り部２ｃの前側にレバー３を第４図に示すように弾性力で前後に出没するように設けている。
そして本体２の前部には第５図に示すように手動送り用ローラ１９の一部が露出しており、これを指先で回すことによってフイラメント状連結体Ｌの集合体を手動送りして取付装置１に装填したり、あるいは第５図に示した解除ノブ８を下げ操作して下記の送りギヤからなる送り機構との係合を断って未使用のものを取出すことができるようになっている。
そして第２７図及び第２８図に示したフイラメント状連結体Ｌの集合体の、可撓部材Ｊに連結されている頭部ｈを、第４図に示すように本体２の側面の長手方向に形成されている頭部用溝６ｂ内に、他方の可撓部材Ｊに連結されている結合部ｋを下側の結合部用溝６ａ内にそれぞれ挿入してフイラメント部ｆを第１図及び第２図に示すように横向きのＵ字形に曲げた状態で装填する。
そして前記レバー３を把持・解法操作することによって前記フイラメント部ｆを第４図に示す連結操作状態において輪状に連結するものである。なお、第１図及び第２図において記号Ｌは長い連結体を、Ｌｓは短い連結体をそれぞれ示している。
第６図は、右本体２ａの内部構造を示す斜視図であるが、この右本体２ａは第１の右本体２ａ−１と第２の右本体２ａ−２と第３の右本体２ａ−３と、更に先端部を開閉する蓋２ａ−４の４つの部材に分割して構成されている。その理由は、右本体２ａを局部的に分解して必要な部分を開口し、簡単かつ速やかに調整したり修理することができるようにするためである。
そして第２の右本体２ａ−２には後述するピストン９を前後に案内するためのガイド溝９Ａが形成され、また、第１の右本体２ａ−１には中継レバー３Ａ（第７図）用の軸３ｃとレバー３用の軸３ａが一体的に形成されている。
〔内部構造の概要〕
取付装置１の内部構造を第７図、第８図及び第９図に示しており、特に第８図にフイラメント状連結体Ｌの頭部ｈを頭部搬送腕４の先端部の頭部支持部で受取った打出し前の状態を、また、第９図に打出して頭部ｈと結合部ｋとを連結した直後の状態をそれぞれ示している。
本体２の下方に形成した握り部２ｃの前方にレバー３が、軸３ａに枢支されて中継レバー３Ａに係合したスプリング３ｄの弾性力によって握り部２ｃの前部に形成した開口部に出没するようになっている。このレバー３の動きは中継レバー３Ａを介してピストン９を図６に示したガイド溝９Ａによって案内しながら前後に往復移動させることができるようになっている。そして同時にフイラメント状連結体Ｌの結合部ｋを押出すロッド１０をピストン９と共に往復運動させるようになっている。
そして本体２の前部に前記ロッド１０の延長線上であって、側面にフイラメント部ｆを通過させるための緩い螺旋状の溝５ａを側面に開口した中空針５が設けてあり、これの内部に結合部ｋを押込んでその前部の吐出口より突出させ、中空針５の直前方にすでに待機している頭部ｈと係合させるように構成されている。
前記ロッド１０が運動する面の側方には、周囲に連結体Ｌの配列ピッチと同ピッチの溝を有する結合部送りギヤ１４ａと頭部送りギヤ１４ｂが上下に配設され、前記レバー３の把握操作によって１本の連結体Ｌが間歇的に前進させられるようになっている。なお、図２６には２本の連結帯Ｊ，20Ｊに直交して連結されているフイラメント状連結体Ｌが前記結合部送りギヤ１４ａと頭部送りギヤ１４ｂとによって打込み位置まで移送され、打込まれ、残った連結帯Ｊ，Ｊのみが後方に移送される状態を示している。
本体２内に第９図に示すように、積層形に配置されている第１基板２０と第２基板２２と、これらを利用して組立てられる各機構を有しており、〔Ａ部〕は結合部ｋの押出機構を、〔Ｂ部〕は頭部搬送腕の駆動機構を、そして〔Ｃ部〕はフイラメント状連結体Ｌの送り機構をそれぞれ示している。
本発明の取付装置１を構成する各機構は、本体２内を厚み方向に第１の基板２０と第２の基板２２とで仕切り、これらの基板２０、２２を利用してサブアセンブリとして組立てるようにしているので、多数の部材を組立てる操作が容易である上に、耐久性のある取付装置とすることができる。
〔ピストンと連結体の送り機構〕
第１０図は第６図に示した右本体２ａ上に積層される部材を示しており、この右本体２ａに形成されたピストンガイド溝９Ａの一方の側面に案内されるように結合部支え部材９ｂ（結合部ｋの姿勢を正確に保つための部材）が配置され、その先端部は案内溝９ｃ内に嵌入されて案内され、移動の最終においてその先端部がストッパ９ｄによって停止されるようになっている。なお、この結合部支え部材９ｂはピストン９の側面に設けたゴム板９ｅとの摩擦力によって前後に運動するようになっている。
第６図に示した右本体２ａ上に、第１０図に示した第１基板２０があたかも蓋のように重ねられるが、この第１基板２０に開口した軸受孔１４ｅに結合部送りギヤ１４ａの軸１４ｇを嵌入して支持させ、別の軸受孔１４ｆに頭部送りギヤ１４ｂの軸１４ｈを嵌入して支持させている。また、これらのギヤ１４ａ，１４ｂに沿わせて薄い金属板からなるガイド板１４ｃ，１４ｄが配置されており、これによってフイラメント部ｆの根元部を周回させて案内するようになっている。
なお、詳細は図示していないが、この第１０図の状態ではギヤ１４ａ、１４ｂの上面に第２６図に示すごとく可撓部材Ｊ，Ｊが位置し、連結部ｃがギヤ１４ａ、１４ｂに噛合し、第１０図に示す前記ガイド板１４ｃ、１４ｄの下側に頭部ｈあるいは結合部ｋが位置し、更にこれら頭部ｈと結合部ｋの下方にフイラメント部ｆが延長された状態になる。
そしてこの第１基板２０の長手方向の第６図に示した右本体２ａに形成されたピストンガイド溝９Ａに対向する位置にピストンガイド溝９Ｂが開口されており、これの上方からロッド１０をこのピストンガイド溝９Ｂ内に挿入して第１基板２０の裏側に位置させると共にピストン９の縮小部を点線で示すように嵌入して往復移動できるようにしている。
更に、この第１基板２０の上面の適宜の位置に、後述する第２基板２２を支持するスペーサ２０ａが適宜本数突設されている。
〔頭部搬送腕の駆動機構〕
第１１図は、第１基板２０と第２基板２２（第９図及び第１２図）との間に配置され、ピストン９によって頭部搬送腕４を装置の結束経路にしたがって運動させる機構を構成している部材を分解して示している。
ピストン９の先端部に後述するレバー作動部９ｇが形成されており、第１１図は第２１図に示すように、この部分にＬ形をした第１リンク１７を重ねるように配置し、この第１リンク１７の側面に突設してある突起部１７ａが前進用カム面９ｈに接触して案内されながら回動し、ピストン９の戻り動作の際には後退用カム面９ｉに摺接して案内されると共に駆動され、最終段階で溝部９ｋ内に嵌入されてこの後退用カム面９ｉとの係合が終了するようになっている。
この第１リンク１７の端部を第２リンク１８の二股部内に嵌入してピン止めして第８図及び第２１図のように連結し、更にこの第２リンク１８の先端に第３リンク４ｂの下端をピン止めし、その中間に設けた孔４ｃに第２１図及び第１１図に示すように頭部送りギヤ１４ｂの軸１４ｈ（第１０図）を嵌入してこの第３リンク４ｂを前後に揺動可能に支持している。
また、この第３リンク４ｂに平行して配置されている一対の第４リンク４ａ，４ａ’とこの第３リンク４ｂの端部に頭部搬送腕４の水平部をピン止めしている。前記第３リンク４ｂと、一対の第４リンク４ａ，４ａ’と、更にこれらのリンクに枢着された頭部搬送腕４で“四つ棒平行リンク機構”を形成しており、ピストン９と第１リンク１７と第２リンク１８と更にこの平行リンク機構を含む一連のリンク機構の動きによって、頭部搬送腕４が後述する所定の連結経路に沿って移動するように構成されている。
具体的には第１１図に示すように、第３リンク４ｂの孔４ｃに頭部送りギヤ１４ｂ（第１０図）の軸１４ｈを嵌入し、一対の第４リンク４ａ，４ａ’の孔４ｐにピンを通して第１基板２０に植立し、更に第３リンク４ｂと第４リンク４ａ，４ａ’の上端を頭部搬送腕４の溝に嵌入させてピン止めして前記“四つ棒平行リンク機構”を形成している。
前記第４リンク４ａ，４ａ’の下半分には円弧部４ｎが形成されているが、４ａ側に形成した円弧部４ｎは前記軸１４ｈに当接して第４リンク４ａ，４ａ’を係止する部分である。後述する第２１図〜第２５図のようにリンク機構が運動して姿勢を変えた際に、図２４から第２５図のように第４リンク４ａ，４ａ’が回動して４ａが前記軸１４ｈに当接することによって頭部搬送腕４に支持されている頭部ｈの孔ｂを、中空針５の軸線に合致させるようになっている。
図示していないが、前記第４リンク４ａの円弧部４ｎが当接する軸１４ｈの周囲にゴムからなる緩衝材が設けてあり、当接状態において第４リンク４ａを緩衝して頭部搬送腕４の動きを止めるようになっている。なお、この第４リンク４ａ側に緩衝材を設けても同様な作用を行うことができる。
更に、前記頭部搬送腕４のＬ形部の前端部には第３３図及び第３４図に詳細を示す頭部支持部４ｄが設けられており、これに頭部ｈを嵌入し、この頭部支持部４ｄを構成している部材の弾性力によってこの頭部ｈを弾性的に把持して第８図に示すように中空針５の前部まで搬送するようになっている。
〔連結体の送り機構〕
図１２はフイラメント状連結体Ｌの集合体の送り機構を示しており、図１１に示した頭部搬送腕４の駆動機構の上方に重ねるように配置された第２基板２２と左本体２ｂ（第９図）との間に形成される。この第２基板２２の表面に突設されたスペーサ兼用の軸１２ｂをギヤ送りレバー１２の孔１２ａに嵌入してこのギヤ送りレバー１２を揺動自在に枢支している。
そしてピストン９の側面に設けた突起９−１を、作動部支持体９−２の孔９−３に嵌入させてネジ止めし、この作動部支持体９−２に突設した円筒状の作動部１１を前記ギヤ送りレバー１２の後述するガイド面に当接させて図１３に示すように揺動させるようにしている。なお、この作動部１１をローラで構成するとカムローラと同様に作用させることができる。
前記レバー１２の先端は二股に分岐されて爪支持部１２ｄ，１２ｅを形成し、この爪支持部１２ｄ，１２ｅに設けた送り爪１２ｆ，１２ｇをラチエットホイール１５ａ，１５ｂにそれぞれ噛合させている。なお、送り爪１２ｆ，１２ｇは図示しないスプリングによって突出して第１３図に示すようにラチエットホイール１５ａ，１５ｂに噛合し、そして後述するストッパー２４，２４Ａ（第１４図）が解除されるときは、このストッパー２４、２４Ａに連繋して噛合が解除されるようになっている。
前記ラチエットホイール１５ａ，１５ｂは、第１０図、第１２図及び第１３図に示した結合部送りギヤ１４ａの軸１４ｇの先端の半月状の部分と、頭部送りギヤ１４ｂの軸１４ｈの半月状の部分にそれぞれ嵌合されている。そして図示していないが、このラチエットホイール１５ａ，１５ｂの一方の側面が断面Ｕ字形の溝が形成され、この溝内に輪ゴムＲ（第１２図）をそれぞれ嵌入固定して摩擦力で駆動可能に形成されている。
そしてこれらのラチエットホイール１５ａ，１５ｂの中間部に第１２図及び第１図に示すように手動送り用ローラ１９が配置され、そしてこのローラ１９の裏面に小径のゴム円板１９ａが併設されており、このゴム円板１９ａと前記ラチエットホイール１５ａ，１５ｂに設けた輪ゴムＲとが接触しており、このローラ１９を指先で回転させることにより両ラチエットホイール１５ａ，１５ｂを逐次回転させて連結体Ｌの集合体を前進あるいは後退させることができるようにしている。
前記の如く本発明においては、握り部２ｃの前方にスプリング３ｄの弾性力で出没するレバー３を握ってロッド１０を持つピストン９を前進させ、中空針５の前部において連結体Ｌの頭部ｈの係止孔ｂ内に結合部ｋを押し込んで連結する動作を行うが、このレバー３の握り操作の前半の行程において、ギヤ送りレバー１２の前部を上げるように回転させ、これが元の位置に戻る際に連結体Ｌの集合体を移送するための送り動作を行うスプリング１２ｈに弾性エネルギー（引張力）を蓄える。
更にこのレバー３を握り込む後半の行程で、頭部ｈと結合部ｋとの連結操作を行なう。次いで前記レバー３の開放動作の終端において、前記ギヤ送りレバー１２を、前記スプリング１２ｈ内に蓄えた弾性エネルギーによって一挙に元の位置に引き戻すことによって連結体Ｌの集合体を１ピッチ分前進させるように構成されている。
即ち、前記レバーの握り操作の前半の行程でギヤ送りレバー１２を傾斜させ、それに伴なってこのギヤ送りレバー１２に連繋するスプリング１２ｈ内に弾性力を蓄え、更に握り操作の後半の行程でピストン９に設けたロッド１０で結合部ｋを押して前進させ、中空針５の直前で待機している頭部ｈと連結させる。
本発明においてはこの連結操作の際にはスプリング１２ｈの弾性力をそのまま保持させておき、それによってレバー３の握り操作の把握力を専ら連結のみに使用し、その間に握り力を大きくすることなく、軽い操作で円滑に連結できるようにした点に特徴がある。
第２９（ａ）図は、レバー３を握らない状態におけるギヤ送りレバー１２の位置が「基準位置」にあることを示している。この位置においてはピストン９と、このピストン９に固定されている作動部支持体９−２（第１２図）と、これに設けてある作動部１１が所定の後退した位置に復帰している。そしてこの作動部１１は、ピストン９の往復運動の経路に平行する基準線９Ｋに沿って直線状に往復移動する。
ギヤ送りレバー１２にはカム面が「へ字形」に形成されており、このカム面はこのギヤ送りレバー１２の後部を押圧して引下げるように回転させることによってスプリング１２ｈを引き伸ばして弾性エネルギーを蓄えるガイド面１２Ｅと、この蓄えた弾性エネルギーをそのまま保持した状態で、連結体Ｌの頭部ｈの係合孔ｂ内に結合部ｋを押し込む動作を行うガイド面１２Ｋとが形成されている。
そしてこのガイド面１２Ｋの延長線上にガイド体１２Ｌが軸１２Ｍによって揺動自在に支持され、更にこの軸１２Ｍの近傍に放出片１２Ｎがギヤ送りレバー１２に形成されている。前記ガイド体１２Ｌはスプリング１２ｊ（第１２図）によってその先端部がガイド面１２Ｅの先端部に押圧して接触しており、矢印で示すように上下に揺動するようになっている。
第２９（ａ）図に示すように、ガイド面１２Ｅとガイド体１２Ｌのガイド面１２ＰとをＶ形を形成し、前記ガイド面１２Ｋはガイド体１２Ｌのガイド面１２Ｐとは直線を形成し、これら３つのガイド面１２Ｅ，１２Ｋ，１２Ｐは略Ｙ形を形成している。
前記作動部支持体９−２（第１２図は第２９図に対応）は、第２９（ａ）図の如くレバー３の握り操作と共に基準線９Ｋ上を矢印で示すように出発し、第２９（ｂ）図でガイド面１２Ｅの始端部に位置し〔（ａ）と（ｂ）との間はレバー３を含む部材の動きに余裕を持たせる区間〕、更に第２９（ｃ）図でガイド面１２Ｅを押圧しながら前進してギヤ送りレバー１２を軸１２ｂを中心として後部を矢印のように押下げ、前部に突出している爪支持部１２ｄ，１２ｅを矢印のように上昇させる。このギヤ送りレバー１２の傾斜状態はフイラメント状連結体Ｌの集合体を１本送る傾斜角度、即ち１ピッチだけ送るための準備段階であり、この段階においてスプリング１２ｈは引張られて発生する弾性力Ｆが次第に増加している。
第３０（ａ）図から（ｂ）図は作動部１１がガイド体１２Ｌを押上げながらガイド面１２Ｅの終端を移動し、その間にスプリング１２ｈに連結体Ｌの集合体を送るために必要とする弾性エネルギーＦを蓄えている状態を示している。
第３０（ｃ）図はフイラメント状連結体Ｌの連結（嵌合）操作を行う区間の開始点で、作動部１１はガイド面１２Ｋの始端部に位置しており、この状態においてはガイド面１２Ｋとガイド体１２Ｌのガイド面１２Ｐとが直線状になると共に、そのガイド面は基準線９Ｋに平行になっている。
そしてこの第３０（ｃ）図の状態から作動部１１はガイド面１２Ｋを矢印のように移動して第３１（ａ）図の状態になった時点で頭部ｈに結合部ｋが嵌合して連結体Ｌの連結が終了してフイラメント部ｆが輪状になるのである。
前記のようにして１本の連結体Ｌの連結動作が終了すると、レバー３の握力を開放することになるが、このレバー３の開放と共に第３１（ａ）図から（ｂ）図の状態を経由し、そして（ｃ）図のように作動部１１が矢印のようにガイド体１２Ｌのガイド面１２Ｐ上を後退するが、このガイド体１２Ｌのガイド面１２Ｐの終端部で第３２（ａ）図のように作動部１１が放出片１２Ｎ上に乗り上げ、その直後に自動的に外れて瞬時に（ｂ）図の状態になる。前記第３１（ａ）図から第３２（ａ）図の間はスプリング１２ｈに蓄えられた弾性力Ｆをそのまま保持している区間であると共に、ギヤ送りレバー１２の姿勢を基準線９Ｋに合わせた状態で保持する区間でもある。
第３２（ａ）図から（ｂ）図に至ると作動部１１は放出片１２Ｎより外れてギヤ送りレバー１２が自由になり、スプリング１２ｈに蓄えていた弾性力が開放されることになる。この弾性力Ｆが開放される状態は、第３２（ａ）〜（ｃ）図に示しているように、ギヤ送りレバー１２は軸１２ｂを中心としてガイド体１２Ｌが設けられている後方が矢印のように上昇すると共に、先端部の爪支持部１２ｄ、１２ｅが下降して第１３図に示すように爪支持部１２ｄ、１２ｅに設けてある送り爪１２ｆ、１２ｇを所定角度だけ回転させ、この送り爪１２ｆ、１２ｇにそれぞれ併設されている結合部送りギヤ１４ａと頭部送りギヤ１４ｂをそれぞれ１ピッチ分（フイラメント状連結体Ｌを１本だけ送る角度）だけ間歇的に回転させるのである。
繰り返しになるが、第２９（ａ）図〜第３０（ｃ）図はスプリング１２ｈを引き伸ばして弾性力Ｆを蓄える区間で、レバー３の握り操作で連結体Ｌの連結操作を行いながら、このスプリング１２ｈに次に連結するフイラメント状連結体Ｌを送るための弾性力Ｆ、即ちエネルギーを蓄えているのである。
第３０（ｃ）図から第３１（ａ）図は連結体Ｌの連結操作を行う区間であり、この区間においてはガイド面１２Ｋと基準線９Ｋとは平行になっており、ギヤ送りレバー１２はそのままの姿勢を保持してスプリング１２ｈの長さを変化させず、既にスプリング１２ｈに蓄えられている弾性力Ｆをそのまま保持している。
従って、レバー３の握り力は専ら連結体Ｌの連結操作のみに使用されるので、円滑な連結操作を行うことができるのである。
第３１（ａ）図〜第３２（ａ）図は、レバー３の握り力を解除してピストン９が元の位置に復帰する状態を示しており、この状態においては作動部１１は基準線９Ｋに沿って移動するので、スプリング１２ｈに蓄積されている弾性力Ｆはそのままで保持されることになる。
第３２（ｂ）図〜（ｃ）図は連結体Ｌの集合体が１本分だけ送られる、所謂、頭部ｈと結合部ｋを次の連結操作を行う位置に送り込んだ状態を示しており、この区間において前記スプリング１２ｈが保持していた弾性力ＦがＦａの如く放出され、ギヤ送りレバー１２を第３２（ｃ）図、即ち第２９（ａ）図位置まで復帰させることになる。
〔連結体Ｌの取り出し機構〕
次に、取付装置１に既に供給されたフイラメント状連結体Ｌの集合体を取り出す機構ついて説明する。
第１２図及び第１４図に示すように、解除ノブ８（第５図）を設けたストッパ解除体８Ａがその中心の孔８ｂを前記ギヤ送りレバー１２を枢支する軸１２ｂの延長端部に形成されている軸１２ｃの部分に嵌入して支持されている。
そしてこのストッパ解除体８Ａに開口した係合孔８ｃにストッパー２４，２４Ａの側面に形成した突起２４ｂを嵌合させており、前記解除ノブ８を第１４図に矢印で示すように引下げ操作することによって前記突起２４ｂを介してストッパー２４，２４Ａを後退させてラチエットホイール１５ａ，１５ｂにそれぞれバネ部２４ｅの弾性力を利用して噛合している係止爪２４ｃを後退させ、ラチエットホイール１５ａ，１５ｂとストッパー２４、２４Ａとの噛合を解除し、結合部送りギヤ１４ａと頭部送りギヤ１４ｂを自由に回転させることができるようになっている。
ストッパー２４，２４Ａは中央に第２基板２２（第９図及び第１２図）に設けた軸受に嵌合する突起２４ｄを設け、この突起２４ｄの一方側に第１４図に示すようにバネ部２４ｅを延長してハッチングした固定部（左本体２ｂの内面に突出している）と接触させ、他方側に係止爪２４ｃとストッパー解除体８Ａに係合する突起２４ｂを有する部分を形成している。
また、第１３図にピストン９の往復運動に伴なって生ずるギヤ送りレバー１２の揺動操作、即ち、前記第２１図〜第２５図、第２９図〜第３２図を参照して説明したように、結合部送りギヤ１４ａと頭部送りギヤ１４ｂの同軸上に併設されているラチエットホイール１５ａ，１５ｂを１ピッチづつ回動して、前記ギヤ１４ａ，１４ｂに噛合している結合部ｋと頭部ｈとを所定位置に逐次移送する状態を示している。なお、この状態は第２６図を参照すると更に理解し易い。
〔ピストン９と第１リンク１７の作動状態〕
第１１図、第１５図及び第２１図に示すように、ピストン９の前部にレバー作動部９ｇが形成されており、このレバー操作部９ｇには前進用カム面９ｈと後退用カム面９ｉと、この後退用カム面９ｉの中間位置に横向きに第１リンク１７に設けた突起部１７ａが嵌入する溝部９ｋが形成されている。
第１５図は第７図に対応したレバー３を把る前の、ピストン９がスタート位置Ｐ0にある状態を示しており、第１リンク１７の突起部１７ａが前記溝部９ｋに嵌入されている。
第１６図はレバー３の把握を開始してピストン９が矢印のように前進して頭部搬送腕４を駆動するリンク機構が作動を開始する直前の位置Ｐ1を示しており、第１リンク１７の係合部１７ｂがピストン９に形成された前進用カム面９ｈに当接している位置を示している。
更に第１７図は第８図に対応する図で、頭部搬送腕４が前進した最終端で連結体Ｌの頭部ｈの係止孔ｂ内に結合部ｋがピストン９の前進により嵌入されてフイラメント部ｆが輪状になった状態の位置Ｐ2を示しており、この状態においては第１リンク１７の係合部１７ｂがピストン９の非作動面９ｍに当接している。
なお、係合部１７ｂがこのように非作動面９ｍに当接している間は、頭部搬送腕４は第８図のように前進して（第２１図〜第２５図参照）中空針５の直前に移動し、更にピストン９に取付けてあるロッド１０が中空針５中に押込まれる区間を示している。
そして第１８図はレバー３の把握を解除してピストン９が第１７図の位置から後退して第１リンク１７の突起部１７ａがピストン９のレバー作動部９ｇの後退用カム面９ｉに当接した直後にある位置Ｐ3を示している。
前記第１７図と第１８図との間の位置Ｐ2とＰ3との間の距離〔Ｐ2−Ｐ3〕は、レバー３の把握を解除してピストン９が後退しても第１リンク１７が揺動を開始せず、リンク機構が戻りの作動を開始しない、いわゆる「緩衝帯域」であって、この緩衝帯域があることによってリンク機構に無理な力が作用せず、頭部搬送腕４をスムーズに後退運動するようにしている。なお、ピストン９の後退と共にロッド１０も後退していることは言うまでもない。
第１９図は第１８図の位置Ｐ3から位置Ｐ4にピストン９が後退し、第１リンク１７の突起部１７ａが後退用カム面９ｉを滑り落ちて横向きに形成されている溝部９ｋに嵌入する直前の状態を示している。
その直後に第２０図に示すように突起部１７ａが溝部９ｋ内に嵌入されると共に、ピストン９が初期位置Ｐ0に戻り、第１リンク１７が第１５図に示した水平状態になっており、この状態から前記のように第１５図〜第１７図を参照して説明した連結体Ｌの連結（打込み）動作に移ることになる。
〔頭部搬送腕４を搬送するリンク機構の作動状態〕
（連結操作開始前の状態）
第２１図は、前記第１５図あるいは第２０図および第７図に示す機構の状態に対応しており、ピストン９のレバー作動部９ｇの溝部９ｋに第１リンク１７の突起部１７ａが位置してこの第１リンク１７が水平になると共に、第３リンク４ｂが最も立上がった状態にある。
そしてこの第３リンク４ｂと一対の第４リンク４ａ，４ａ’の上端に枢支されている頭部搬送腕４は最も後退した位置にある。なお、この位置においては第１１図に示す頭部支持部４ｄには頭部ｈを嵌入して支持している
（初期操作）
本発明に係る取付装置１を表示札を取付ける商品に近づける操作は、頭部搬送腕４と中空針５との間の空間Ｑ（図４、図８に示した空間部分）が十分に大きなときに適宜行なえば良い。また、連結体Ｌの連結操作の前に中空針５に表示札を取付けておくことによってこの取付装置１を片手で操作することができる。
第２２図は前記第１６図に対応するもので、第１リンク１７の係合部１７ｂがレバー作動部９ｇの前進用カム面９ｈに当接し、ピストン９は位置Ｐ1に前進している。
第２３図は頭部搬送腕４がピストン９の先端に延長されたロッド１０の前方に運動している状態を示しており、このピストン９は位置Ｐ5だけ初期位置Ｐ0から前進している。
第２４図は第１リンク１７を更に回転させながら頭部搬送腕４を次第にロッド１０の前方、即ち中空針５の前方に近づけている状態を示しており、ピストン９は位置Ｐ6に前進している。
そして第２５図は第１７図と第８図に対応するもので、ピストン９が位置Ｐ2にある状態を示しており、頭部搬送腕４の先端の頭部支持部４ｄに支持された頭部ｈの係止孔ｂ内にロッド１０によって中空針５の中を押されて移動した結合部ｋが嵌合する状態を示している。
〔頭部搬送腕４の頭部ｈの把持機構〕
フイラメント状連結体Ｌの集合体は第２図及び第４図に示すように、取付装置１の本体２の側面に上下に形成された頭部用溝６ｂと結合部用溝６ａにそれぞれ挿入されて前方に送られて第２６図に示すように頭部送りギヤ１４ｂと結合部送りギヤ１４ａの周囲の溝部に連結体Ｌの連結部ｃを嵌合させて周回させ、最前部である前記ギヤの先端部の中心位置において、頭部支持部４ｄに把持されると同時あるいはその直後に、第９図に示すナイフＮで切断されるようになっている。
頭部支持部４ｄは、第３３（ａ）図及び（ｂ）図の要部側面図と部品分解図に示すように、頭部用溝６ａに案内されながら頭部送りギヤ１４ｂを周回して移動する連続した複数の頭部ｈの内の先頭の１個の内側に位置する保持体４ｆと、この保持体４ｆに対向して外側に位置する第１の弾性片４ｇと第２の弾性片４ｈが二重に配置されている。そしてこの第１の弾性片４ｇには頭部ｈの係止孔ｂ内に嵌入する突起部４ｊを有し、第２の弾性片４ｈには第１の弾性片４ｇの背面を押圧する突起部４ｋを有している。また、保持体４ｆには頭部ｈの位置を決める突起部４ｍが設けられている。
前記頭部支持部４ｄの動作について説明すると、第３４（ａ）図〜（ｃ）図の側面図に示すように、取付装置１のレバー３の握ぎり、そして離す動作の終わりの部分において、本体２の前部でリンク機構によって円弧運動する頭部搬送腕４の先端（下端）に設けてある頭部支持部４ｄが所定の経路まで前進した後に復帰して第３４（ａ）図のように第２の弾性片４ｈが本体２の頭部用溝６ｂの側部に突出されている停止部２ｔに接触する。
即ち、第４図に鎖線で示すように頭部搬送腕４が収納位置に後退すると、第２の弾性片４ｈが退避して第１の弾性片４ｇの弾性力が弱められた状態となる。この頭部支持部４ｄの復帰動作の終わりの部分において次に連結する頭部ｈ（同時に結合部ｋも）が、第３４（ａ）〜（ｂ）図に示すように頭部支持部４ｄに下側より矢印で示すように送込まれ、そして第３４（ｂ）図のように第１の弾性片４ｇの突起部４ｊが頭部ｈの係止孔ｂの一方の側に嵌入され、この頭部ｈは保持体４ｆと第１の弾性片４ｇとの間で弾性力で挟持されることになる。
次に連結操作に伴なってレバー３を握ると、頭部搬送腕４はリンク機構の一連の動作と共に本体２の前方に移動して第３４（ｃ）図の状態となり、第２の弾性片４ｈの下端は本体２に成形した停止部２ｔより離れ、第２の弾性片４ｈの突起部４ｋで第１弾性片４ｇの背面を押圧してこの頭部搬送腕４に頭部ｈを確実に把持する。そして所定の連結動作の経路にしたがって連結する位置まで移動することになる。
第３４（ｄ）図は頭部搬送腕４を本体２の前部で確実に停止させる手段を示しており、この頭部搬送腕４の背後と本体２の前面とに磁石式吸着器４Ｍを設けたものである。この磁石式吸着器４Ｍは磁石板と金属板で構成されており、本体２の前部においてこの頭部搬送腕４を固定することによって頭部支持部４ｄに対して確実に１個の頭部ｈを供給することができるようになっている。
第３５図は頭部ｈに結合部ｋを連結する動作を説明するものであって、第２６図と第３５（ａ）図において取付装置１のレバー３を握ると、円弧状の経路で中空針５の前方に頭部搬送腕４が移動し、中空針５の中心線上に頭部ｈの中心を配置して瞬間的ではあるが、待機状態となる。
その直後にピストン９と共にロッド１０が前進し、結合部送りギヤ１４ａで本体２の前部に送られてきた結合部ｋの後部を押圧前進させて結合部ｋの先端部を前記のように中空針５の前端で待機している頭部ｈの係止孔ｂ内に押込んで嵌合させる。
更にロッド１０と共に結合部ｋを前進させることによって第３５（ｂ）図に示すように頭部ｈと結合部ｋとが完全に連結される。この場合に注目すべきは、第１の弾性片４ｇの先端部に形成されている突起部４ｊの下側の傾斜面４ｊ’が結合部ｋの宝珠部分を斜めに押圧している。
この構成により保持体４ｆ側に２枚重ねの弾性片の弾性力で押圧されて保持されている頭部ｈは、例えば鞄等の商品の把手を周回しているフイラメント部ｆが、その商品の移動により引張られると簡単に外れることになり、商品に表示札を取付けたり、２つ以上の商品を効率的に連結することができる。
第３６図は頭部支持部４ｄの別の形式のものを示す斜視図であって、第１の弾性片３０と第２の弾性片３１の先端の溝部ｍを持つ把持部３０ａ，３１ａの間に連結体Ｌの前進と共に先頭の１個の頭部ｈを押込んで弾性力で把持させるように構成されている。
第３７図は頭部支持部４ｄの更に別の形式のものを示す斜視図であって、前記第１の弾性片３０と第２の弾性片３１と、更にこれらの間の側方に配置された第３の弾性片３２を設けたもので、この第３の弾性片３２の先端には頭部ｈの係合孔ｂ内に嵌合してこの頭部を位置決めする突起部３２ａが設けられている。
本発明に係るフイラメント状連結体Ｌの取付装置１は、第７図、第８図、第５図から第２０図、更に第２１図から第２５図に示したように動作して連結操作を行うことができる。
フイラメント状連結体Ｌの頭部ｈと結合部ｋは、第４図及び第２６図に示すように、取付装置１の本体２の側面に形成された頭部用溝６ａと結部用溝６ｂにそれぞれ連結帯Ｊ，Ｊと共に供給されて頭部送りギヤ１４ｂと結合部送りギヤ１４ａによって第１３図に示すように送りレバー１２等の各部材の動作で逐次移送される。そしてこれらのギヤ１４ｂと１４ａの周面の前記本体２の先端部において次の操作が行なわれる。
頭部ｈは、前記したように前回の連結操作あるいは一旦レバー３を握り、そして開放する操作の終りの部分で第３４（ａ）〜（ｃ）図に示すように頭部搬送腕４の先端の頭部支持部４ｄで把持され、第９図に示すナイフＮで第２７図に示す連結部ｃが切断され、そして前記のように中空針５の吐出口の前方に搬送されて第４図に示すように待機する。
一方、結合部ｋは、第９図，第２６図、第３５（ａ）〜（ｃ）図に示すようにロッド１０で押され、第９図に示しナイフｎで第２７図に示す連結部ｃが切断された後に中空針５内に押込まれ、そしてこの中空針５の吐出口で待機している頭部ｈの係止孔ｂ内に押込まれて嵌合してフイラメント部ｆを輪状に連結する。この際、中空針５に取付けられている表示札の孔にフイラメント部ｆが通過して各種の商品にこの表示札が取付けられる。そして商品から取付装置１を離すように動作することによって第３５（ｃ）図に示すようにフイラメント状連結体Ｌの連結操作が完了する。
産業上の利用の可能性
以上説明したように、本発明によれば次の効果を奏することができる。
１．本発明のフイラメント状連結体の連結方法によれば、両側に可撓部材を配置し、これらの間にフイラメント状連結体を保持させた集合体を、取付装置に装填し、前記集合体より１本づつ連結体を分離して取付装置の前方に順次送り出し、そしてフイラメント部に表示札を挿通させた状態で、例えばハンドバッグの腕の回りにフイラメント部を回し、頭部に結合部を嵌合させて効率的に連結して表示札を取付けたり、２個以上の商品あるいは物品を連結することができる。
２．本発明のフイラメント状連結体の連結方法によれば、フイラメント状連結体の集合体を取付装置の前方に配置された２つのギヤを周回させながら１本のフイラメント状連結体を分離し、中空針の直前に頭部を待機させ、同時にこの中空針より結合部を送り出して頭部に係合するので、連結体の集合体をスムーズに送って商品に値札等と共に連結して取付けることができる。
３．本発明のフイラメント状連結体の取付装置によれば、両側に可撓部材を配置し、これらの間にフイラメント状連結体を保持させた集合体を側部に装填し、レバー操作によって順序よく１本のフイラメント状連結体を分離して頭部を頭部搬送腕の先端で把持して中空針の前方に搬送し、そして中空針を通して結合部を突出させて前記頭部に係合することができるので、このフイラメント状連結体を簡単に環状に連結することができる。
４．本発明のフイラメント状連結体の取付装置によれば、レバーの握り操作の前段階でギヤ送りレバーを傾斜させてスプリングに弾性力を蓄え、次の握り段階で連結体の連結操作を行い、次いでレバーの握りを解くと同時に前記弾性力を利用して前記ギヤ送りレバーを回動させて連結体を送り込み位置（打ち込み位置）に移動させるように構成しているので、連結操作においてレバーに余分な力を必要とせず、作業者に対して連結操作の疲れを軽減することができる。
５．本発明のフイラメント状連結体の取付装置によれば、へ字形のガイド面と、このガイド面に継脱するガイド体とを有するギヤ送りレバーを有しているのでレバーの握り操作によって前記ギヤ送りレバーを傾斜させ、その間にスプリングに弾性力を蓄えさせ、次に連結操作を行い、その後にスプリングの弾性力を利用して連結体の送り操作を軽快に連続して行うことができる。
６．本発明のフイラメント状連結体の取付装置によれば、本体の側面にイフラメント状連結体の集合体を供給し、この集合体を連結している可撓部材を取付装置の後方に円滑に案内することができるので、この取付装置の操作の際に邪魔になるようなことがない。
７．本発明のフイラメント状連結体の取付装置によれば、フイラメント状連結体の集合体を打込み位置まで正確に搬送して連結することができる。
８．本発明のフイラメント状連結体の取付装置によれば、レバーの把握操作によってフイラメント状連結体の集合体を順序よく、もつれがなく係合位置まで送込みながら確実に係合させることができる。
９．本発明のフイラメント状連結体の取付装置によれば、レバーの把握によって頭部搬送腕が最も前進した位置でこれを停止させることができるので、頭部を中空針の前部に正確に位置させて、確実に結合部と連結させることができる。
１０．本発明のフイラメント状連結体の取付装置によれば、レバーの把握によって頭部搬送腕が最も前進した位置で第４リンクを軸に接触させて停止させることができるので、頭部を中空針の前部に正確に位置させて停止させることができる。
１１．本発明のフイラメント状連結体の取付装置によれば、頭部搬送腕が本体の前部に復帰して収納された状態で、本体に対してこの頭部搬送腕を停止させ、頭部を確実に把持することができる。
１２．本発明のフイラメント状連結体の取付装置によれば、頭部搬送腕が本体の前部に復帰して収納された状態で、本体に対してこの頭部搬送腕を磁力で吸着して確実に停止させ、頭部を確実に把持することができる。
１３．本発明のフイラメント状連結体の取付装置によれば、フイラメント状連結体の集合体に噛合して搬送するラチエットホイールを、本体の外部から操作することができるので、この集合体の前進・後退操作を簡単に行うことができ、連結途中の連結体を取出すことができるう
１４．本発明のフイラメント状連結体の取付装置によれば、フイラメント状連結体の集合体に噛合して搬送するラチエットホイールにストッパーを噛合させて逆転を防止し、そしてこのストッパーをラチエットから外すことによって前記集合体を取付装置から取出すことができる。
１５．本発明のフイラメント状連結体によれば、二本の可撓部材の間に、連結部を介して多数本のフイラメント状連結体を設け、更に頭部の係止孔と結合部を多数の集合体の配置面に直交するように設けてフイラメント状連結体の集合体を形成しているので、取付装置に装填して連結する操作が極めて容易になる。
１６．本発明のフイラメント状連結体によれば、頭部に貫通させた係止孔の周囲に対面して係止爪を設けたので、結合部が頭部内に嵌合された際に、この結合部の根本部分を前記係止爪によって確実に保護して封緘状態とすることができる。
【図１】
0003710123.tif 000002
【図２】
0003710123.tif 000003
【図３】
0003710123.tif 000004
【図４】
0003710123.tif 000005
【図５】
0003710123.tif 000006
【図６】
0003710123.tif 000007
【図７】
0003710123.tif 000008
【図８】
0003710123.tif 000009
【図９】
0003710123.tif 000010
【図１０】
0003710123.tif 000011
【図１１】
0003710123.tif 000012
【図１２】
0003710123.tif 000013
【図１３】
0003710123.tif 000014
【図１４】
0003710123.tif 000015
【図１５】
0003710123.tif 000016
【図１６】
0003710123.tif 000017
【図１７】
0003710123.tif 000018
【図１８】
0003710123.tif 000019
【図１９】
0003710123.tif 000020
【図２０】
0003710123.tif 000021
【図２１】
0003710123.tif 000022
【図２２】
0003710123.tif 000023
【図２３】
0003710123.tif 000024
【図２４】
0003710123.tif 000025
【図２５】
0003710123.tif 000026
【図２６】
0003710123.tif 000027
【図２７】
0003710123.tif 000028
【図２８】
0003710123.tif 000029
【図２９】
0003710123.tif 000030
【図３０】
0003710123.tif 000031
【図３１】
0003710123.tif 000032
【図３２】
0003710123.tif 000033
【図３３】
0003710123.tif 000034
【図３４】
0003710123.tif 000035
【図３５】
0003710123.tif 000036
【図３６】
0003710123.tif 000037
【図３７】
0003710123.tif 000038